(57)【要約】      （修正有）【課題】汎用性のある異なる電源装置と接続可能として送風器付き衣服の使用者の利便性を向上させた送風器付き衣服用電力ケーブルを提供する。【解決手段】外気を服地と身体との間に送風する送風器を電源装置と給電可能に接続する送風器付き衣服用電力ケーブル６において、一端側に送風器と接続可能な出力側ＤＣプラグ６２・６２、及び他端側に電源装置と接続可能な入力側ＤＣプラグ６３が設けられるメインケーブル６０と、メインケーブル６０の他端側の中途部よりスプリッタ６４を介して延出され、末端に入力側ＵＳＢプラグ６５が設けられるサブケーブル６１と、を有してなる。【選択図】図３
0003191803.tif 000002
【実用新案登録請求の範囲】
【請求項１】
外気を服地と身体との間に送風する送風器を電源装置と給電可能に接続する送風器付き衣服用電力ケーブルにおいて、
一端側に前記送風器と接続可能な出力側ＤＣプラグ、及び他端側に前記電源装置と接続可能な入力側ＤＣプラグが設けられるメインケーブルと、
前記メインケーブルの他端側の中途部よりスプリッタを介して延出され、末端に入力側ＵＳＢプラグが設けられるサブケーブルと、
を有してなることを特徴とする送風器付き衣服用電力ケーブル。
【請求項２】
外気を服地と身体との間に送風する送風器を電源装置と給電可能に接続する送風器付き衣服用電力ケーブルにおいて、
一端側に前記送風器と接続可能な出力側ＤＣプラグ、及び他端側に入力側ＤＣジャックが設けられるメインケーブルを有してなり、
前記入力側ＤＣジャックに前記電源装置と接続可能な入力側ＤＣプラグ付きコネクタ、又は入力側ＵＳＢプラグ付きコネクタが交換可能に取り付けられることを特徴とする送風器付き衣服用電力ケーブル。
【請求項３】
前記メインケーブルの一端側の中途部よりスプリッタを介して延出され、末端に出力側ＤＣプラグが別途設けられる分岐ケーブルを有してなる請求項１又は請求項２に記載の送風器付き衣服用電力ケーブル。
【考案の詳細な説明】
【技術分野】
【０００１】
本考案は、送風器付き衣服用電力ケーブルに関し、より詳細には、外気を服地と身体との間に送風する送風器を電源装置と給電可能に接続する送風器付き衣服用電力ケーブルに関する。
【背景技術】
【０００２】
従来、外気を服地と身体との間に送風する送風器を有した衣服が公知となっている。かかる送風器付き衣服は、服地に開口された開口部に配設される複数の送風器（ファン）を具備してなり、身体に着用した状態で送風器が駆動されることで、服地内に外気が吸引されて服地と身体との間に送風され、服地内に吸引された空気が身体の表面に沿って流通されることで、身体から気化熱が奪われて冷却されるものである。
【０００３】
ところで、従来の送風器付き衣服では、特許文献１に開示されるように、複数の送風器が電力ケーブルを介して電源装置と給電可能に接続されて構成されている。この電源装置は、通常充電バッテリなどとして構成されており、電力ケーブルは、服地裏面に形成された専用のポケット（収納部）等に配置された電源装置より服地内に沿って延出され、服地の背中側に配設された送風器へと接続される。
【先行技術文献】
【特許文献】
【０００４】
【特許文献１】国際公開第２００５／０６３０６５号
【考案の概要】
【考案が解決しようとする課題】
【０００５】
しかしながら、上述した従来の電力ケーブルにおいては、メインケーブルの一端側に送風器と接続可能な出力側ＤＣプラグが形成され、他端側に電源装置と接続可能な入力側ＤＣプラグが形成される構成であったため、電源装置に設けられる出力端子の形状や形態によっては入力側ＤＣプラグが接続できない場合があった。特に、近年では、携帯型電子端末などのモバイル機器向けのバッテリ式電源装置が多く提供されるようになっているところ、通常、かかるモバイル機器向けのバッテリ式電源装置にはＤＣプラグ用の入力端子が設けられていないため、送風器付き衣服用の電源装置として用いることができなかった。
【０００６】
そこで、本考案では、送風器付き衣服用電力ケーブルに関し、前記従来の課題を解決するもので、汎用性のある異なる電源装置と接続可能として送風器付き衣服の使用者の利便性を向上させた送風器付き衣服用電力ケーブルを提供することを目的とする。
【課題を解決するための手段】
【０００７】
本考案の解決しようとする課題は以上の如くであり、次にこの課題を解決するための手段を説明する。
【０００８】
すなわち、請求項１においては、外気を服地と身体との間に送風する送風器を電源装置と給電可能に接続する送風器付き衣服用電力ケーブルにおいて、一端側に前記送風器と接続可能な出力側ＤＣプラグ、及び他端側に前記電源装置と接続可能な入力側ＤＣプラグが設けられるメインケーブルと、前記メインケーブルの他端側の中途部よりスプリッタを介して延出され、末端に入力側ＵＳＢプラグが設けられるサブケーブルと、を有してなるものである。
【０００９】
請求項２においては、外気を服地と身体との間に送風する送風器を電源装置と給電可能に接続する送風器付き衣服用電力ケーブルにおいて、一端側に前記送風器と接続可能な出力側ＤＣプラグ、及び他端側に入力側ＤＣジャックが設けられるメインケーブルを有してなり、前記入力側ＤＣジャックに前記電源装置と接続可能な入力側ＤＣプラグ付きコネクタ、又は入力側ＵＳＢプラグ付きコネクタが交換可能に取り付けられるものである。
【００１０】
請求項３においては、前記メインケーブルの一端側の中途部よりスプリッタを介して延出され、末端に出力側ＤＣプラグが別途設けられる分岐ケーブルを有してなるものである。
【考案の効果】
【００１１】
本考案の効果として、汎用性のある異なる電源装置と接続可能として送風器付き衣服の使用者の利便性を向上できる。
【図面の簡単な説明】
【００１２】
【図１】本考案の一実施例に係る送風器付き衣服の全体的な構成を示した正面図である。
【図２】同じく図１の背面図である。
【図３】電力ケーブルの斜視図である。
【図４】電力ケーブルを用いて送風器及び電源装置を接続する状態を示した図である。
【図５】同じく電力ケーブルを用いて送風器及び電源装置を接続する状態を示した図である。
【図６】別実施例の電力ケーブルを用いて送風器及び電源装置を接続する状態を示した図である。
【図７】同じく別実施例の電力ケーブルを用いて送風器及び電源装置を接続する状態を示した図である。
【考案を実施するための形態】
【００１３】
次に、考案を実施するための形態を説明する。
【００１４】
まず、本実施例の電力ケーブル６が用いられる送風器付き衣服１の全体構成について、以下に概説する。
図１及び図２に示すように、送風器付き衣服１は、服地２にて上半身を覆う長袖の作業用衣服として形成され、具体的には、服地２に開口された開口部２２・２２に配設される送風器３・３と、送風器３・３と電力ケーブル６を介して給電可能に接続される電源装置４・５等とを有してなり、身体に着用した状態で送風器３・３が駆動されることで、服地２内に外気が吸引されて服地２と身体との間に送風され、服地２内に吸引された空気を身体の表面に沿って流通させることで身体を冷却する機能（空調機能）を有している。
【００１５】
服地２は、身体を覆う衣服の役割とともに、送風器３・３にて発生した空気を身体の表面に沿って案内する空気案内手段としての役割を有する。服地２は、前部２ａに開閉手段としてのファスナ２０、及び裾２ｂに絞りゴム２１がそれぞれ設けられており、ファスナ２０にて服地２の前面を閉じた状態で、送風器３・３にて服地２内に供給された空気が前部２ａ及び袖２ｂから外部に漏れるのを防止し、袖口２ｃや襟口２ｄから外部へと排出されるように形成されている。
【００１６】
服地２の後部２ｅには、下方左右両側に開口部２２・２２が形成され、後述する送風器３・３がそれぞれ取り付けられる。このように、送風器３・３が後部２ｅの下方左右両側に配設されることで、着用者が着席時や作業時などに送風器３・３が邪魔にならず、また、前方からの送風器３・３が見えないので見栄えもよく、さらに、送風器３・３にて服地２内に供給された空気を身体部分の広範に行き渡らせた後に袖口２ｃや襟口２ｄから排出させることができる。
【００１７】
服地２の裏面には、後述する電源装置４及び電源装置５のいずれか一つを収納するためのポケット２３が設けられており、ポケット２３は、本実施例では前部２ａの裏側面に位置するように配設されている。また、同じく裏面には、ポケット２３に収納された電源装置４及び電源装置５から上述した開口部２２・２２に取り付けられた送風器３・３へと延出される電力ケーブル６を固定するためのケーブル留め２４・２４が設けられている。ケーブル留め２４は、後部２ｅの裏側面に位置するように配設されており、一端が服地２の裏面に縫い付けられた面ファスナとして形成され、他端にて電力ケーブル６を巻き込むようにして一端に貼り付けることで電力ケーブル６が固定される。
【００１８】
服地２の素材としては、送風器３・３にて発生した空気を身体の表面に沿ってスムーズに案内し、かつ空気が外部に漏れない素材が用いられる。
【００１９】
送風器３は、図示せぬモータやファン等にて構成されており、後述する電源装置４・５により給電されることで、外部の空気を服地２内に取り込む方向にファンが回転される。この送風器３のファン形状の回転速度などは、服地２内に取り込む空気の量（流量）に応じて最適に設定される。送風器３は、服地２（の開口部２２）に着脱自在に取り付けられ、例えば、面ファスナなどを用いる他、服地２の表裏面から送風器３の一部を嵌合させるなどして取り付けられる。
【００２０】
送風器３・３には、ＤＣジャック３０がそれぞれ一つずつ設けられており、後述する電力ケーブル６の出力側ＤＣプラグ６２と接続可能とされている（図４等参照）。
【００２１】
電源装置４・５は、送風器３・３に供給される電力源として構成され、送風器３・３と後述する電力ケーブル６を介して給電可能に接続されている。電源装置４・５は、図示せぬアルカリ電池や、ニッケル水素電池又はリチウムイオン電池などの二次電池が内蔵されており、各種電源回路や充電回路及などの各種制御回路が設けられている。
【００２２】
電源装置４・５としては、その構成や電池の種類・性能などは各種の目的に応じたものが用いることができる。一例として、本実施例では、電源装置４は、従来汎用のバッテリ式電源装置であり、電力ケーブル６の他端側の入力側ＤＣプラグ６３と接続可能なＤＣジャック４０が設けられている。一方、電源装置５は、携帯型電子端末などのモバイル機器向けの公知のバッテリ式電源装置であり、電力ケーブル６の他端側の入力側ＵＳＢソケット６５と接続可能なＵＳＢソケット５０が設けられている（図４等参照）。
【００２３】
また、電源装置４・５には、送風器３・３への給電をオン／オフ切り替えする図示せぬスイッチがそれぞれ設けられており、電源装置４・５にて給電を制御できるように構成されている。特に、電源装置４は、上述したように、主に従来から送風器付き衣服１として用いられる公知のバッテリ式電源装置であるため、例えば、風量調節やタイマなど送風器３・３の駆動を制御する機能が設けられてもよい。
【００２４】
次に、本実施例の電力ケーブル６の構成について、以下に詳述する。
図３乃至図５に示すように、電力ケーブル６は、一端側に送風器３・３と接続可能な出力側ＤＣプラグ６２・６２、及び他端側に電源装置４と接続可能な入力側ＤＣプラグ６３が設けられるメインケーブル６０と、メインケーブル６０の中途部よりスプリッタ６４を介して延出され、末端に電源装置５と接続可能な入力側ＵＳＢプラグ６５が設けられるサブケーブル６１とを有してなるものである。
【００２５】
メインケーブル６０は、一端側が中途部よりスプリッタ６６を介して一つの分岐ケーブル６０ａが延出され、メインケーブル６０及び分岐ケーブル６０ａの末端に出力側ＤＣプラグ６２がそれぞれ設けられている。本実施例の電力ケーブル６は、服地２への取付状態において、ポケット２３に収納された電源装置４（又は電源装置５）から延出され、ポケット２３に遠い位置に配置される送風器３のＤＣジャック３０とメインケーブル６０の末端に形成された出力側ＤＣプラグ６２とが接続され、近い位置に配置される送風器３のＤＣジャック３０と分岐ケーブル６０ａの末端に形成された形成された出力側ＤＣプラグ６２とが接続される。
【００２６】
入力側ＤＣプラグ６３は、電源装置４のＤＣジャック４０と接続可能なコネクタ形状とされ、従来汎用の電源装置４を用いた場合に使用されるコネクタである。
【００２７】
入力側ＵＳＢプラグ６５は、電源装置５のＵＳＢソケット５０と接続可能なコネクタ形状とされ、モバイル機器向けの電源装置５を用いた場合に使用されるコネクタである。ＵＳＢ（Ｕｎｉｖｅｒｓａｌ  Ｓｅｒｉａｌ  Ｂｕｓ）は、コンピュータ等の情報機器に周辺機器を接続するためのシリアルバス規格であり、コネクタ形状としてタイプＡ、タイプＢ、ミニＵＳＢ仕様、及びマイクロＵＳＢ仕様がそれぞれ定められているところ、本実施例の入力側ＵＳＢプラグ６５は、電源装置５のＵＳＢソケット５０が通常タイプＡとされることが多いことから汎用性を考慮してタイプＡのコネクタ（プラグ）形状に形成されている。
【００２８】
一例として、電力ケーブル６のケーブル長は、メインケーブル６０（出力側ＤＣプラグ６２から入力側ＤＣプラグ６３まで）が８０〜１００ｃｍ、サブケーブル６１（スプリッタ６４から入力側ＵＳＢプラグ６５まで）が１０〜２０ｃｍ、分岐ケーブル６０ａ（スプリッタ６６から出力側ＤＣプラグ６２まで）が１０〜２０ｃｍである。ただし、ケーブル６０・６０ａ・６１の長さは、それぞれの用途にあわせて適宜設定することができる。
【００２９】
送風器付き衣服１にて電源装置４が用いられる場合、電力ケーブル６は、メインケーブル６０の他端に設けられた入力側ＤＣプラグ６３が電源装置４のＤＣジャック４０に接続されるとともに、メインケーブル６０及び分岐ケーブル６０ａの一端に設けられた出力側ＤＣプラグ６２・６２が送風器３のＤＣジャック３０にそれぞれ接続される（図４参照）。このように電力ケーブル６が接続されることで、送風器３が電源装置４と給電可能に接続される。なお、この場合、入力側ＵＳＢプラグ６５は使用されないため、着用時には電源装置４とともにポケット２３にメインケーブル６０が引き込まれて収容される。
【００３０】
一方、送風器付き衣服１にて電源装置５が用いられる場合、電力ケーブル６は、サブケーブル６１の末端に設けられた入力側ＵＳＢプラグ６５が電源装置５のＵＳＢソケット５０に接続されるとともに、メインケーブル６０及び分岐ケーブル６０ａの一端に設けられた出力側ＤＣプラグ６２・６２が送風器３のＤＣジャック３０にそれぞれ接続される（図５参照）。このように電力ケーブル６が接続されることで、送風器３が電源装置５と給電可能に接続される。なお、この場合、入力側ＤＣプラグ６３は使用されないため、着用時には電源装置５とともにポケット２３にサブケーブル６１が引き込まれて収容される。
【００３１】
以上のように、本実施例の電力ケーブル６は、外気を服地２と身体との間に送風する送風器３・３を電源装置４・５と給電可能に接続する送風器付き衣服用電力ケーブルにおいて、一端側に送風器３・３と接続可能な出力側ＤＣプラグ６２・６２、及び他端側に電源装置４と接続可能な入力側ＤＣプラグ６３が設けられるメインケーブル６０と、メインケーブル６０の他端側の中途部よりスプリッタ６４を介して延出され、末端に入力側ＵＳＢプラグ６５が設けられるサブケーブル６１と、を有してなるため、汎用性のある異なる電源装置４・５と接続可能として送風器付き衣服１の使用者の利便性を向上できる。
【００３２】
すなわち、本実施例の電力ケーブル６は、入力側ＤＣプラグ６３とともに入力側ＵＳＢプラグ６５が設けられるため、従来のＤＣジャック４０が設けられる電源装置４だけでなく、モバイル機器向けのバッテリ式電源装置としてＤＣジャックではなくＵＳＢソケット５０電源装置５とも接続できるため、送風器付き衣服１の使用者において、電源装置４のバッテリの残存容量がなくなった際であっても、モバイル機器向けとして携帯しているバッテリ式電源装置を送風器付き衣服１用の電源装置５と交換して用いることができ、使用者の利便性を高めることができるのである。
【００３３】
特に、本実施例の電力ケーブル６は、メインケーブル６０の一端側の中途部よりスプリッタ６６を介して延出され、末端に出力側ＤＣプラグ６２が別途設けられる分岐ケーブル６０ａを有してなるため、汎用の送風器付き衣服１にように二つの送風器３・３を有する場合に各プラグ６２・６３・６５を一体に構成することができ、使用者の取扱性を向上できる。
【００３４】
なお、電力ケーブル６の構成としては、上述した実施例に限定されず、本発明の目的を逸脱しない限りにおいて種々の変更が可能である。
【００３５】
例えば、図６及び図７に示す電力ケーブル１０６のように、一端側に送風器３と接続可能な出力側ＤＣプラグ１６２・１６２、及び他端側に入力側ＤＣジャック１６７が設けられるメインケーブル１６０を有してなり、入力側ＤＣジャック１６７に電源装置４と接続可能な入力側ＤＣプラグ付きコネクタ１６３、又は入力側ＵＳＢプラグ付きコネクタ１６５が交換可能に取り付けられるように構成されてもよい。
【００３６】
上述した電力ケーブル１０６では、上述した実施例の電力ケーブル６とは異なり、メインケーブル１６０の他端側に入力側ＤＣジャック１６７が設け、入力側ＤＣプラグ付きコネクタ１６３又は入力側ＵＳＢプラグ付きコネクタ１６５を交換して取り付けるため、コネクタ１６３・１６５の交換作業を要するものの、メインケーブル１６０の他端側にスプリッタや他のケーブルが存在しないので着用時に邪魔になることがない。
【００３７】
また、上述した実施例では、送風器付き衣服１として、電源装置４及び電源装置５のいずれか一つを収納するためのポケット２３を有する構成について説明したが（図１参照）、ポケット２３の配置構成はこれに限定されず、例えば、複数の電源装置を収納可能なように任意の複数個所に形成されてもよい。
【符号の説明】
【００３８】
１      送風器付き衣服
２      服地
３      送風装置
４      電源装置
５      電源装置
６      電力供給ケーブル
３０    ＤＣジャック
４０    ＤＣジャック
５０    ＵＳＢソケット
６０    メインケーブル
６０ａ  分岐ケーブル
６１    サブケーブル
６２    出力側ＤＣプラグ
６３    入力側ＤＣプラグ
６４    スプリッタ
６５    入力側ＵＳＢプラグ
６６    スプリッタ
【図１】
0003191803.tif 000003
【図２】
0003191803.tif 000004
【図３】
0003191803.tif 000005
【図４】
0003191803.tif 000006
【図５】
0003191803.tif 000007
【図６】
0003191803.tif 000008
【図７】
0003191803.tif 000009